(57)【特許請求の範囲】
【請求項１】
自吸作用を行わせるために、循環水をポンプ内に循環させている自吸式ポンプにおいて、
内部に通水路が形成されたケーシングと、
ケーシング内の水を環流させるための経路となる環流通水路と、
前記ケーシングの通水路中に配設され、揺動可能に取り付けられ、磁性体で形成された流量スイッチ兼用弁と、
この流量スイッチ兼用弁が接近あるは遠ざかることによって、オン／オフを行うセンサーと備え、
前記ケーシング内に水が満たされていないときは、前記環流通水路を開放すると共に、センサーをオフさせて自吸運転を行い、
ケーシング内に水が満たされたときは、前記流量スイッチ兼用弁を揺動して前記環流通水路を閉塞すると共に、センサーをオンさせて非自吸運転を行うことを特徴とする自吸式ポンプ。
【発明の詳細な説明】
【０００１】
【発明の属する技術分野】
自吸作用を行わせるために、循環水をポンプ内に循環させている自吸式ポンプに関する。
【０００２】
【従来の技術】
自吸式のポンプおよび非自吸式のポンプについて、図４〜図６を用いて説明する。図４は、自吸運転時における水の流れを説明したポンプの概略図である。図５は、非自吸運転時における水の流れを説明したポンプの概略図である。図６は、自吸時、および非自吸時のポンプの揚水特性を説明したグラフである。
【０００３】
図４において、自吸式のポンプ１１は、このポンプ１１内に貯えられている水の量がある一定以下に減少すると、水の給配水が行えなくなるため、一旦、配水した水の一部をポンプ１１内に環流させることによって、配管内のエア抜きを行っている。
【０００４】
なお、ポンプ１２内に貯えられている水の量がある一定以上なるように構成されている（自吸運動をする必要性がない）ポンプであれば、図５のように、水を循環させるための経路を省くことができる。
【０００５】
【発明が解決しようとする課題】
図４の自吸式ポンプでは、羽根車によってポンプ外に吐出しようとする水を再度ポンプ内に環流させているため、図６に示すように、揚水特性が、図５の非自吸式のポンプに比べ特性が悪かった。
【０００６】
【課題を解決するための手段】
そこで、本発明によれば、内部に通水路が形成されたケーシングと、ケーシング内の水を環流させるための経路となる環流通水路と、前記ケーシングの通水路中に配設され、揺動可能に取り付けら、磁性体で形成された流量スイッチ兼用弁と、この流量スイッチ兼用弁が接近あるは遠ざかることによって、オン／オフを行うセンサーと備え、
前記ケーシング内に水が満たされていないときは、前記環流通水路を開放すると共に、センサーをオフさせて自吸運転を行い、ケーシング内に水が満たされたときは、前記流量スイッチ兼用弁を揺動して前記環流通水路を閉塞すると共に、センサーをオンさせて非自吸運転を行うことを特徴とする自吸式ポンプを提供する。
【０００７】
【作用】
自吸運転時には、環流通水路を開放し、羽根車により押し出された水を環流通水路を介して環流させ、配管、通水路内に残存するエアのみをポンプ外に排出している。
【０００８】
そして、配管内、ポンプ内からエアが抜けて水で満たされると、水圧によって流量スイッチ兼用弁が揺動して最後に環流通水路を閉塞し、そして、センサーをオンさせる。すなわち、環流通水路を閉塞することによって、非自吸運転となり、運転効率を向上させる。また、センサーをオンさせることによって、ポンプが通常の水量の水を流している、通常運転であることを他装置、制御部等へ伝達する。
【０００９】
【発明の実施の形態】
本発明における自吸式ポンプの実施例を図１〜図３を用いて説明する。図１は、本発明における自吸運転時の自吸式ポンプの概略図である。図２は、本発明における非自吸運転時の自吸式ポンプの概略図である。図３は、図２の流量スイッチ兼用弁部付近の概略図である。
【００１０】
図１および図２において、自吸式ポンプ１は、モータ２と、水が通るための通水路３が内部に形成されているケーシング４と、モータ２の軸２ａに接続されておりケーシング４内の通水路３中に収納された羽根車５と、通水路３内に配設され、磁性体からなる流量スイッチ兼用弁６と、ケーシング４の表面に取り付けられ流量スイッチ兼用弁６が接近、あるいは遠ざかることによってオン／オフするホールセンサー等からなるセンサー７とで構成されている。
【００１１】
通水路３には、環流通水路３ａが設けられており、羽根車５の回転により吐出口８方向に送り出された水が、環流通水路３ａを通って、再度羽根車５に戻ってくるように構成されている。通水路３の出口および入口には、それぞれ吐出口８、吸入口９が形成されている。そして、それぞれには配管（図示しない）が取り付けられており、この配管を介して、吐出口８は、蛇口あるいは給湯器等と接続され、吸入口９は、浴槽や貯水槽等と接続されている。
【００１２】
流量スイッチ兼用弁６は、板状に形成されており、羽根車５と吐出口８との間の通水路３に配設されて、任意の箇所を支点に揺動するように取り付けられている。そして、羽根車の回転により水圧が加わると、流量スイッチ兼用弁６は揺動し、通水路３にエアーが無くなることにより環流通水路３ａを閉塞するようになっている。
【００１３】
センサー７は、吐出口８から、十分な水が吐出されているかを検知する装置であって、後述するように通水路３内に十分な水が満たされた状態で、羽根車５が回転すると、流量スイッチ兼用弁６を揺動させる十分な水圧が発生する。すなわち、流量スイッチ兼用弁６は、水圧によって揺動しセンサー７に接近して、センサー７をオンさせる。センサー７をオンさせることにより、ポンプ１が通常の水量の水を流している通常運転であることを他装置、制御部等へ伝達することができる。
【００１４】
図１において、ケーシング４内の通水路３には、十分な水が満たされておらず、かつ、貯水槽に接続されている配管内にエアが残存している状態であって、この状態でモータ２を駆動して、羽根車５を回転させると、ケーシング４内にある水は、吐出口８からポンプ１外に排出されずに環流通水路３ａを通って、再度羽根車５に戻ってくる循環水となる。また、吸入口９からは、配管内に残存するエアと、貯水槽等に貯えられている水とが流入し、エアは、通水路３、羽根車５、そして吐出口８を通って配管に吐出される。そして、水は、ケーシング４内を循環する。この時、流量スイッチ兼用弁６は、上下に、かつ小幅に揺動するだけであって、センサー７から遠く離れた状態にある。よって、このセンサー７は、オフの状態である。
【００１５】
図２において、ケーシング４内の通水路３は、水で満たされており、また、貯水槽に接続されている配管内にエアが残存してない状態であって、この状態でモータ２を駆動して、羽根車５を回転させると、水は、吐出口方向に押し出され貯水槽から、配管、ポンプ内を通って蛇口等に流れる。このときの水圧によって流量スイッチ兼用弁６が揺動して環流通水路３ａを閉塞する。すなわち、水が環流しないようになり、非自吸運転を行う。
【００１６】
なお、前述したように流量スイッチ兼用弁６が環流通水路３ａを閉塞すると、流量スイッチ兼用弁６は、センサー７に接近することになり、センサー７がオンすることになる。
【００１７】
図３において、流量スイッチ兼用弁６で環流通水路３ａを完全に閉塞する場合は、環流通水路３ａの縁の全周に亘って、Ｏリング１０を配設し、流量スイッチ兼用弁６をＯリング１０に押圧することによって、環流通水路３ａへの水漏れを防止することができる。
【００１８】
以上のように構成された自吸式ポンプを、例えば給湯器に接続して使う場合において、図１の様に配管内にエアが残存した状態で自吸運動している時は、センサーがオフになっている。このオフ信号を給湯器に伝達し、オフ信号が出ている間は、給湯器のバーナーが着火しないようにする。すなわち、空焚き運転にならないようにする。そして、配管内のエア抜きが完了して、スイッチ兼用弁が環流通水路を閉塞し、センサーがオンすると、このオン信号を給湯器に伝達して、給湯器のバーナーの着火を可能にする。
【００１９】
【発明の効果】
本発明によれば、自吸式ポンプの空焚き運転を防止しつつ、ポンプ通常運転時の効率を向上させることができる。
【００２０】
【図面の簡単な説明】
【図１】本発明における自吸運転時の自吸式ポンプの概略図。
【図２】本発明における非自吸運転時の自吸式ポンプの概略図。
【図３】図２の流量スイッチ兼用弁部付近の概略図。
【図４】自吸運転時における水の流れを説明したポンプの概略図。
【図５】非自吸運転時における水の流れを説明したポンプの概略図。
【図６】自吸時、および非自吸時のポンプの揚水特性を説明したグラフ。
【符号の説明】
１…自吸式ポンプ
２…モータ
３…通水路
４…ケーシング
５…羽根車
６…流量スイッチ兼用弁
７…センサー
８…吐出口
９…吸入口
１０…Ｏリング
１１、１２…ポンプ
【図１】
0004418049.tif 000002
【図２】
0004418049.tif 000003
【図３】
0004418049.tif 000004
【図４】
0004418049.tif 000005
【図５】
0004418049.tif 000006
【図６】
0004418049.tif 000007